(57)【要約】【課題】この発明は、誤投入された大径または厚肉の不適なメダルを返却操作するためにプレーヤが返却ボタンをチョン押し操作した場合でも、不適なメダルの誤通過を防止して的確に誤取込みを防ぐことのできる選別機能を備えた遊技機の投入メダル選別装置を提供することを目的とする。【解決手段】この発明は、本体と開閉板との対向面間に補助開閉板を介在させ、返却ボタンの押下初期では、その返却ボタンの操作力に抗して前記補助開閉板を閉位置に保ち、返却ボタンの押し込み量が押下初期を越えた時点で前記補助開閉板を開位置にすることを特徴とする。【選択図】  図５
2004206485.tif 000002
【特許請求の範囲】
【請求項１】
投入口に投入された適正な大きさのメダルを本体と開閉板との付勢対向面間に形成したメダル降下通路に導いて１枚ずつ内部に取込み、降下規制された大径または厚肉の不適メダルを返却ボタンの押下操作に基づいて通路下方に開口する下方開口部から外部の返却口へと返却する遊技機の投入メダル選別装置であって、前記本体と開閉板との対向面間に回動自由に軸支して介在され、前記本体側からは前記返却ボタンが押された操作力を受圧許容する位置に対向し、開閉板側からは前記返却ボタンの操作力に対向する対向バネで付勢し、一部を前記メダル降下通路の開閉板側の通路面に沿った状態で介在させた不適メダル降下規制用の補助開閉板を配設し、
前記返却ボタンの押下初期では、前記対向バネが前記返却ボタンの操作力に抗して前記補助開閉板の一部を、不適メダルを降下規制する閉位置に保ち、前記返却ボタンの押し込み量が押下初期を越えた時点で前記対向バネの付勢力を上回って前記補助開閉板の一部および開閉板を、不適メダルを降下許容する開位置にする遊技機の投入メダル選別装置。
【請求項２】
投入口に投入された適正な大きさのメダルを本体と開閉板との付勢対向面間に形成したメダル降下通路に導いて１枚ずつ内部に取込み、降下規制された大径または厚肉の不適メダルを返却ボタンの押下操作に基づいて通路下方に開口する下方開口部から外部の返却口へと返却する遊技機の投入メダル選別装置であって、前記本体と開閉板との間に回動自由に軸支して介在され、前記本体側からは前記返却ボタンが押された操作力を受圧許容する位置に対向し、前記開閉板側からは前記返却ボタンの操作力に対向する対向バネで付勢し、一部を、適正なメダルを降下許容する適正メダル厚さスペースを隔てて前記メダル降下通路の開閉板側の通路面に沿った状態で介在させた補助開閉板と、
前記本体側に回動自由に軸支され、前記返却ボタンの押し込み量を外面側より受けて内方の開閉板側に回動突出し、回動突出する内面側の一端には前記開閉板を開方向に押圧する第１カムと回動突出時に前記第１カムより遅れて前記補助開閉板を開方向に押圧する第２カムとを有し、他端には前記第１カムより遅れて本体側より開閉板側に向けて前記メダル降下通路に出没自由に対向させた第３カムを有する回動カムとを備えた
遊技機の投入メダル選別装置。
【発明の詳細な説明】
【０００１】
【発明の属する技術分野】
この発明は、例えば遊技ホールに設置されるパチスロ機のような遊技機の投入メダル選別装置に関し、さらに詳しくは遊技適用外の大径メダル、大径流通硬貨等の大径メダル類および遊技適用外の厚肉メダル、厚肉流通硬貨等の厚肉メダル類が投入された場合に的確に返却処理する高返却処理機能を有する遊技機の投入メダル選別装置に関する。
【０００２】
【従来の技術】
一般に、この種の遊技機の投入メダル（コイン）選別装置 (例えば特許文献１参照。) は、投入口に適正な大きさの円板体 (メダル) が投入された場合、降下規制を受けることなく、外径規制爪、シックネススクリューを通過して、内方の円板体案内通路 (メダル降下通路) へと導かれる。
【０００３】
これに対し、例えば不適な大径のメダルが投入されたときは、外径規制爪に引っ掛って内方への取込みが規制される。このときは、プレーヤが返却ボタンを押すことにより、押圧方向に対向するゲートプレートを押し広げ、このメダル降下通路の下方にメダル返却用の大きな開口部を形成する。この開口部に向けて排除爪で大径のメダルを落下させて排除することにより、外部の返却口へと導いている。
【０００４】
さらに、不適な厚肉のメダルが投入されたときは、シックネススクリューで内方への取込みが阻止される。このときは、プレーヤが返却ボタンを押すことにより、押圧方向(メダル厚さ方向)に対向するゲートプレートを押し広げ、このメダル降下通路の下方にメダルを落下許容するメダル返却用の大きな開口部を形成する。この開口部に向けて排除爪で厚肉のメダルを落下させて排除することにより、外部の返却口へと導いている。
【０００５】
【特許文献１】
特開２００１−１５５２０６号公報。
【０００６】
【発明が解決しようとする課題】
しかし、投入口に投入された不適な大きさのメダルが落下阻止されたとき、プレーヤは不適なメダルを取り戻すために返却ボタンを押下操作する。ところが、適正に押下操作されない場合は返却できないことがある。また、内方に誤取り込みされてしまうことがある。
【０００７】
例えば、厚肉メダルが落下阻止されたとき、返却ボタンを少しだけ押して直ぐに戻す（以下、チョン押しと称す）操作を行うと、落下規制されて捕捉されていた厚肉メダルは、排除爪により落下許容されるが、ゲートプレートが少し開いた後、直ぐに閉じてしまう。このため、落下し始めた厚肉メダルは下方の開口部へ真っ直ぐ落下せず、ゲートプレートの閉操作力を受けてメダル降下通路側に導かれて誤通過し、適正な大きさのメダルとして内方に取込まれてしまう問題を有していた。
【０００８】
そこでこの発明は、このような問題に着目してなされたもので、誤投入された不適メダルを返却操作するためにプレーヤが返却ボタンを仮にチョン押し操作した場合でも、不適メダルの誤取込みを的確に防ぐことができる遊技機の投入メダル選別装置を提供することを目的とする。
【０００９】
【課題を解決するための手段】
この発明は、投入口に投入された適正な大きさのメダルを本体と開閉板との付勢対向面間に形成したメダル降下通路に導いて１枚ずつ内部に取込み、降下規制された大径または厚肉の不適メダルを返却ボタンの押下操作に基づいて通路下方に開口する下方開口部から外部の返却口へと返却する遊技機の投入メダル選別装置であって、前記本体と開閉板との対向面間に回動自由に軸支して介在され、前記本体側からは前記返却ボタンが押された操作力を受圧許容する位置に対向し、開閉板側からは前記返却ボタンの操作力に対向する対向バネで付勢し、一部を前記メダル降下通路の開閉板側の通路面に沿った状態で介在させた不適メダル降下規制用の補助開閉板を配設し、前記返却ボタンの押下初期では、前記対向バネが前記返却ボタンの操作力に抗して前記補助開閉板の一部を、不適メダルを降下規制する閉位置に保ち、前記返却ボタンの押し込み量が押下初期を越えた時点で前記対向バネの付勢力を上回って前記補助開閉板の一部および開閉板を、不適メダルを降下許容する開位置にすることを特徴とする。
【００１０】
ここで投入口とは、適正な大きさのメダル１枚分を受入れ許容する細長い溝状の開口部を有している。この内方に適正な大きさのメダルを一枚分降下許容する通路スペースを備えたメダル降下通路が連設される。
【００１１】
前記適正な大きさのメダルとは、遊技専用に設けられた一定の大きさを有する円板形状のメダルである。 これに対し、降下規制された不適メダルとは、大径または厚肉のメダルあるいは、近似する大径または厚肉の流通硬貨に相当する。
【００１２】
前記下方開口部とは、本体に付勢対接される開閉板を開操作したときに、双方の対向する下方対向面間に生じる開口部である。
【００１３】
前記対向バネとは、例えばコイルバネで構成することができる。このコイルバネを開閉板の内面側に内向きに付勢させるためのバネ収納筒に収納させて、開閉板側から補助開閉板を本体側に付勢して弾性支持している。
【００１４】
前記補助開閉板とは、本体と開閉板との対向隙間に介在され、その対向方向に回動自由に軸支されている。そして、この一端部を挟む外面側に返却ボタンの押下操作力が対向し、内面側に対向バネの付勢力が対向した状態で回動待機し、他端部はメダル降下通路の入口部分に介在させている。
【００１５】
この発明によれば、 返却ボタンを押し込んでいくと、この返却ボタンの操作力を受けて、先ず開閉板のみがメダル厚さ方向に開き始める。このとき、押下初期時の補助開閉板は返却ボタンの操作力は未だ受けず、対向バネに付勢された初期位置の全閉状態を維持している。このため、返却ボタンがチョン押し操作されても、開閉板は一時的に開くが補助開閉板は閉鎖状態を維持している。このため、この補助開閉板の一部がメダル降下通路に介在して不適メダルを降下規制する位置にあって、不適メダルを確実に降下規制する。
【００１６】
一方、返却ボタンがチョン押しではなく、正しく押下操作されると、開閉板に続いて補助開閉板が返却用の押下操作力を受けて両開閉板がメダル厚さ方向に十分に開いてメダルを落下許容し、これよりメダルは落下して下方開口部へと排出される。
【００１７】
この結果、落下阻止されたメダルを返却処理するためにプレーヤが返却ボタンを押下操作したとき、仮にチョン押し操作されてもメダル厚さ方向の空間は補助開閉板によって正規の間隔を維持しているため、この補助開閉板よって不適メダルを確実に降下規制して、内方への誤取り込みを防止することができる。
【００１８】
したがって、メダルの返却に際しては、不適なメダルを誤取込みしないため、信頼性の高いメダルの受付管理を図ることができる。また、チョン押しされても降下規制されたメダルは返却されないためプレーヤが再度、確実に返却ボタンの押下操作を行なうことになる。このため、返却操作された不適なメダルは必ず返却処理される。
【００１９】
別の発明では、投入口に投入された適正な大きさのメダルを本体と開閉板との付勢対向面間に形成したメダル降下通路に導いて１枚ずつ内部に取込み、降下規制された大径または厚肉の不適メダルを返却ボタンの押下操作に基づいて通路下方に開口する下方開口部から外部の返却口へと返却する遊技機の投入メダル選別装置であって、前記本体と開閉板との間に回動自由に軸支して介在され、前記本体側からは前記返却ボタンが押された操作力を受圧許容する位置に対向し、前記開閉板側からは前記返却ボタンの操作力に対向する対向バネで付勢し、一部を、適正なメダルを降下許容する適正メダル厚さスペースを隔てて前記メダル降下通路の開閉板側の通路面に沿った状態で介在させた補助開閉板と、前記本体側に回動自由に軸支され、前記返却ボタンの操作力を外面側より受けて内方の開閉板側に回動突出し、回動突出する内面側の一端には前記開閉板を開方向に押圧する第１カムと回動突出時に前記第１カムより遅れて前記補助開閉板を開方向に押圧する第２カムとを有し、他端には前記第１カムより遅れて本体側より開閉板側に向けて前記メダル降下通路に出没自由に対向させた第３カムを有する回動カムとを備えたことを特徴とする。
【００２０】
ここで回動カムとは、返却ボタンを押下操作したときの直線的な押下操作力を回動方向の押下操作力に変換し、この回動時に該カム面の第１カムおよび第２カムが開閉板と補助開閉板とに個別に当接する。そして、先に第１カムが開閉板を押し開き、その後、第２カムが開閉板より遅れて補助開閉板を押し開く役目を有している。また、第３カムが回動時に降下規制されていた不適メダルを押して強制落下させる役目を有している。
【００２１】
このように構成した場合は、返却ボタンの押下初期時に、回動カムの第１カムが開閉板を開方向に押圧移動させるとともに、対向バネで補助開閉板を不適メダル一時降下規制用に閉位置に保ち、チョン押しされても、この補助開閉板によって不適メダルを降下規制することができる。その後、返却ボタンの押し込み量が押下初期を越えたときは、第２カムが補助開閉板を開方向に押圧移動させるとともに開閉板を開位置にし、これに基づいて不適メダルは落下許容される。この不適メダルが落下し始めたとき、第３カムが本体側よりメダル降下通路に突出して同メダル面を開閉板側に押して不適メダルを確実に落下させる。
【００２２】
この結果、本体と開閉板との間に補助開閉板を組込んで、開閉板と補助開閉板との両方の開操作タイミングを２段階的に行うことにより、返却ボタンのチョン押し操作に伴う不適メダルの誤通過を完全に防止できる。このため、プレーヤによる返却ボタンの操作ミスや返却ボタンの不正操作に拘らず、適正なメダルと、不適なメダルとを的確に区別して選別処理する信頼性の高い投入メダル選別処理機能が得られる。
【００２３】
【発明の実施の形態】
この発明の一実施の形態を以下図面に基づいて説明する。
図面は遊技ホールに設置されるパチスロ機の投入メダル選別装置を示し、図１において、パチスロ機１１は前面にメダルＭを１枚ずつ受入れる投入口１２を有し、この投入口１２に投入されたメダルの適否を選別し、正規の大きさのメダルを内部に取込み、大径、小径、厚肉等の不適な大きさのメダル類を外部の返却口１３に返却する選別機能を内蔵している。また、外部の投入口１２には返却ボタン１４を隣設しており、この返却ボタン１４をプレーヤが遊技中止するために押下操作した場合もメダルＭを返却口１３に返却処理する。
【００２４】
図２はパチスロ機１１の前面扉１５を片開き式に開口した扉の内面状態を示し、この開口されたパチスロ機本体１１ａ側の上部にはリール１６を有し、下部にはメダル取込み用のホッパ１７と、図示しないメダル返却通路と、電源装置１８とを有している。
【００２５】
一方、前面扉１５の内面側には、上部より下方にかけてリールカバー１９と、投入メダル選別装置（メダルセレクタ）２０と、返却口１３とをこの順に配設している。
【００２６】
図３および図４は投入メダル選別装置２０を示し、この投入メダル選別装置２０は樹脂製のＨ形基板２１と開閉板２２および後述する補助開閉板３１とを一体に組合せて投入メダル選別用のメダル降下通路２３を構成している。
【００２７】
上述のメダル降下通路２３は、上方の投入口１２の真下に接続対応する入口２４と下方の出口２５との間を垂直路２３ａと、これより緩やかに傾斜する傾斜路２３ｂとを接続して形成している。入口２４には上方より勢いよく投入されて下降するメダルＭとの強接触磨耗を考慮して、金属製の入口ガイド部材２４ａを配設している。
【００２８】
このメダル降下通路２３の傾斜路２３ｂと平行する上側には、該傾斜路２３ｂの上側を逆Ｌ形状に形成する可動ガイド板２６を配設しており、ここに転動通過する起立したメダルＭの上側が可動ガイド板２６にガイドされる。また、傾斜路２３ｂの出口２５部分の直前には一対の通過検知センサＳ１ ，Ｓ２ を配設しており、これらセンサＳ１ ，Ｓ２ で通過したメダルＭ…の数を計数する。
【００２９】
これに対し、メダル降下通路２３の下側には、開閉板２２がＨ形基板２１に対設して該通路２３の下側を凹状に形成するガイド構造を有している。
【００３０】
上述の開閉板２２は、Ｈ形基板２１の軸受２７に軸支される支軸２８を中心として回動自在に装着され、通常は支軸２８に巻回された開閉板付勢バネ２９によってＨ形基板２１の内面に開閉板２２の内面が平面的に対向して付勢対接されている。
【００３１】
さらに、開閉板２２をＨ形基板２１の内面に平面的に取付けたとき、メダル降下通路２３の傾斜路２３ｂに沿って開口する大きな楕円状の排出口３０を、この開閉板２２の中央部に切欠いて開口している。この排出口３０は小径の適用外のメダルＭ が投入されたとき、この排出口３０より排出するものである。
【００３２】
上述のＨ形基板２１と開閉板２２との間にはチョン押しによるメダル誤通過防止機構としての補助開閉板３１を介在させている。この補助開閉板３１は、該補助開閉板３１の両側の軸支孔３２に開閉板２２の支軸２８を挿通させて開閉板２２と同方向に回動自由に取付けている。
【００３３】
また、この補助開閉板３１は、図５にも示すように、Ｈ形基板２１側からは外部の返却ボタン１４が押された操作力Ｐを回動カム３３を介して受圧許容する位置に対向している。また、開閉板２２側からは返却ボタン１４の操作力Ｐに対向する対向バネ３４で付勢している。さらに、該補助開閉板３１の先端部に小さく突出した選別規制片３５を、メダル降下通路２３の適正メダル厚さスペースを隔てた開閉板２２側の通路面に沿わせて略垂直状態で介在させている。
【００３４】
上述の選別規制片３５は、メダル降下通路２３の入口２４部分に相当する開閉板２２側の内面に小さく切欠いた凹部３６に介在させており、その介在状態は凹部３６内で内面が開閉板２２の通路内面と略面一に設定して、適正厚さのメダルが降下して通過するときに支障がないようにしている。
【００３５】
上述の対向バネ３４はコイルバネを用いて、補助開閉板３１の中央部に相当する開閉板２２の内面側に内向きに付勢させるためのバネ収納筒３７を形成し、このバネ収納筒３７に対向バネ３４を収納保持している。この対向バネ３４のバネ圧は自由状態で補助開閉板３１を閉位置に保持する程度の軽い値に設定し、第２カムＣ２からの相反する向きの押圧力を受けたときは、対向バネ３４を圧縮させて容易に開方向に退避移動する。
【００３６】
上述の回動カム３３はコ形状に設けられ、Ｈ形基板２１の外面側に形成した軸支部３８に上下方向に回動自由に軸支され、このコ形状の両端部がＨ形基板２１のカム貫通口２１ａ，２１ｂを横貫して内面側に臨み、返却ボタン１４からの直線的な操作力Ｐを外面側より受けて内方の開閉板２２側に回動突出する。回動突出するコ形状の一端には、開閉板２２を開方向に押圧する第１カムＣ１と、回動突出時に第１カムＣ１より遅れて補助開閉板３１を開方向に押圧する第２カムＣ２とを有している。さらに、コ形状の他端には、第１カムＣ１より遅れてＨ形基板２１側より開閉板２２側に向けてメダル降下通路２３に出没自由に対向させた第３カムＣ３を有している。
【００３７】
この場合、回動カム３３は、返却ボタン１４の直線的な操作力Ｐを回動方向の操作力に変換し、回動時に第１カムＣ１が開閉板内面位置Ｐ１を押し、第２カムＣ２が補助開閉板内面位置Ｐ２を押して、開閉板２２と補助開閉板３１を個別に押して開く役目を有し、第３カムＣ３が回動時に降下規制されていた厚肉メダルを押して落下促進させる役目を有している。
【００３８】
この結果、返却ボタン１４の押下初期時に、回動カム３３の第１カムＣ１が開閉板２２を開方向に押圧移動させると同時に、対向バネ３４で補助開閉板３１を閉位置に保っている。このため、返却ボタン１４が仮にチョン押しされても、この補助開閉板３１によって入口２４部分で降下規制されていた厚肉メダルを降下規制することができる。その後、返却ボタン１４が十分に押されて、押下初期を越えたときは、第２カムＣ２が補助開閉板３１を開方向に押圧移動させるとともに開閉板２２を押し開いて開位置にし、これに基づいて厚肉メダルは落下許容される。
【００３９】
この落下する下方位置には、Ｈ形基板２１の上部に軸支される支軸２８を回動支点に開閉する開閉板２２との間に下方開口部３９(図３参照)が形成され、この下方開口部３９より外部の返却口１３へと排出される。
【００４０】
また、厚肉メダルが落下し始めたとき、第３カムＣ３がＨ形基板２１側よりメダル降下通路２３に突出して、同メダル面を開閉板２２側に押して大径メダルおよび厚肉メダルを確実に落下させる。
【００４１】
このように、補助開閉板３１を組込んで、開閉板２２と補助開閉板３１とをタイミングをずらして２段階的に開操作することにより、正規の大きさのメダルと大径メダルや厚肉メダルなどの不適なメダルを簡単な構成で選別することができる。また、返却ボタンのチョン押し操作に伴う厚肉メダルの誤通過を完全に防止することができる。図中、４０は開閉板付勢バネの係止口を示す。
【００４２】
上述のＨ形基板２１側のメダル降下通路２３と、この通路２３に対向する開閉板２２の内面側には、垂直路２３ａおよび傾斜路２３ｂに沿って複数条のリブＬ…を形成している。
【００４３】
これらのリブＬ…を設けることにより、投入されたメダルＭは通路スペース内でメダルの外表面が凸状のリブＬだけに接して取込まれるためメダルとの接触面積が少なくなり、投入されたメダルの通過抵抗を軽減して高速で円滑な搬送を促進する。
【００４４】
上述のメダル降下通路２３は、図６に示すように、メダルＭを起立状態で転動通過させる１枚分の通路スペースを有し、かつ起立状態にあるメダルの厚み方向に対して例えば２０°程度傾斜させて設けている。
【００４５】
この傾斜角度は開閉板２２が傾斜下側になるように傾斜させ、メダル降下通路２３内では転動搬送されるメダルＭが傾斜下側の開閉板２２側に傾いた状態で搬送される。これにより、小径の不適なメダルが投入されたときは、転動通過時にメダル降下通路２３内で起立した小径のメダルは上側が小径ゆえに可動ガイド板２６に接触せず、ガイドされないまま転動する。このため、メダルは自重で傾斜下側に傾斜して、開閉板２２の排出口３０へと横倒れして排出される。
【００４６】
このように、通路自体の傾きが小径メダルの排除機能の役目を果し、仮に適用外の小径メダルが投入口１２に投入されても、その投入口１２の内方に開口する排出口３０よりメダル自身が自重により自然落下して効率よく排除される。
【００４７】
一方、正規の大きさのメダルが投入されたときは、このメダルの上下がガイドされつつ通路に沿って転動し、正規の取込み方向（出口２５）へと取込まれる。
【００４８】
また、プレーヤの操作によっても、投入されたメダルを返却あるいは詰ったメダルや異物の排出ができるように構成している。この返却操作はプレーヤが返却ボタン１４を押すと、その内部で対向バネ３４の付勢力に抗して押した返却ボタン１４が、その内方で回動自由に軸支された回動カム３３を回動させる。この回動カム３３の内端部に形成した第１カムＣ１が、開閉板２２を押し開くように回動接触し、この動きに連動して開閉板２２は支軸２８を中心に回動してＨ形基板２１との対向面間を開くので、Ｈ形基板２１と開閉板２２との間に開口される下方開口部３９を介してメダル降下通路２３の入口で詰ったメダルや異物等を排除することができる。
【００４９】
また、投入口１２の垂直な硬貨受入れ通路と、その内方の傾斜した通路との間は、垂直に投入されたメダルが傾斜部分で大きな接触抵抗を受けない程度に滑らかに弯曲させて傾斜接続する。さらに、この傾斜接続に際しては、この傾斜接続部の弯曲度合いを調整することによって、メダル通過時に任意の接触抵抗を与えることができる。このため、この部分に投入されたメダルに一定の負荷を与えて、速過ぎず、また遅過ぎない所望の安定した投入速度に制御管理することができる。
【００５０】
また、図７および図８に示すように、メダル降下通路２３の垂直路２３ａから傾斜路２３ｂへと方向変換する方向変換位置２３ｃと対向する開閉板２２の内面には、傾斜ガイド面２２ａを形成している。
【００５１】
この傾斜ガイド面２２ａは、メダル厚さ方向のスペースを垂直路２３ａから傾斜路２３ｂに向けて次第に狭めるように傾斜ガイドする凸形状のガイド面を形成している(図７参照)。このため、正規のメダルＭがメダル降下通路２３を通って方向変換位置２３ｃを通過する際は、開閉板２２から可動ガイド板２６へと段差なく円滑に受け渡される。
【００５２】
また、メダル降下通路２３は全体的には略Ｌ字形を有してメダルを方向変換するが、この方向変換位置２３ｃでメダルＭが円滑に方向変換するように、垂直路２３ａの下部側は減速通過用に若干傾斜させた通路にとっている(図８参照)。
【００５３】
さらに、遊技ホールの準備が未完了の場合やパチスロ機が稼動状態にない場合は、投入されたメダルが正規のメダルであっても受付拒否して返却口１３に返却する受付規制機構を内蔵している。
【００５４】
この受付規制機構４１は、図９に示すように、既述した可動ガイド板２６を回動自由に軸支する軸支部４２を、Ｈ形基板２１のメダル降下通路２３とは反対側の外面側に設け、この軸支部４２を共通の回動支点として可動ガイド板２６の下方に分岐して延びるＬ形状の規制レバー４３を突設し、この規制レバー４３の先端をＨ形基板２１の開口窓４４を介してメダル降下通路２３に出没自在に臨ませている。
【００５５】
そして、メダル降下通路２３側とは反対側のＨ形基板２１の壁面に配設したソレノイド４５を励磁することにより、これに連結された可動ガイド板２６が吸引されて可動し、メダル受付規制状態からメダル受入れ状態に切換えられる。
【００５６】
図９はソレノイド４５をＯＮしたとき、励磁作用が働いて規制レバー４３がメダル降下通路２３より後方に没入して規制解除したメダル受入れ状態を示している。この受入れ状態のメダル降下通路２３は、下部が開閉板２２とＨ形基板２１との対向面間および、その間に位置する耐磨耗性に優れた金属材の底板４６とでメダル転動通過用の凹溝を形成し、上部が可動ガイド板２６とＨ形基板２１との対向面間でメダル転動通過用の凹溝を形成している。
【００５７】
図１０は規制レバー４３がメダル降下通路２３に突出したメダル受入れ規制状態を示し、ソレノイド４５をＯＦＦしたときに可動ガイド板２６は後方に引かれ、軸支部４２を支点に回動し、このときメダル降下通路２３を形成していた上部側の凹溝の一側が開いて通路が開放される。これと同期して規制レバー４３の先端がメダル降下通路２３に突出して、ここに至ったメダルを通行規制し、ここでメダルを１枚ずつ確実に横倒し動作して排除する。
【００５８】
このように構成された投入メダル選別装置２０の選別処理動作を次に説明する。
今、パチスロ機１１がメダルＭを受付可能な稼動状態のときに、プレーヤが投入口１２にメダルＭを投入すると、投入されたメダルＭは自重により内方のメダル降下通路２３を降下し、垂直路２３ａから傾斜路２３ｂへと起立状態で転動しながら取込まれる(図９参照)。
【００５９】
このとき、正規の大きさのメダルＭが投入されたときは、そのまま内方へと受入れて１枚ずつ取込まれる。そのメダルＭを取込んだ枚数が出口近傍の通過検知センサＳ１ ，Ｓ２ により計数され、計数された値は図示しない制御部へと伝送されて投入枚数が管理される。
【００６０】
これに対し、著しく大きなメダルや流通硬貨にあっては、投入口１２の部分で投入規制されて投入できない。また、小径の異種メダルや流通硬貨などの適用外の小径メダルが誤投入されたときは、図１０に示すように、転動通過時に小径メダルの上側が小径ゆえに可動ガイド板２６に上側がガイドされなくなる。しかも、このメダル降下通路２３自体が搬送方向に傾斜するだけでなく、そのメダルの厚み方向に２０°程度傾斜しているため、メダルは自重により側方に大きく開口する排出口３０と対応した時点で、横倒れして排出口３０へと自然に落下して排出される。
【００６１】
次に、若干大きめの不適なメダルが投入されたときの選別処理動作について説明する。
【００６２】
今、プレーヤによって投入口１２に適用外の若干大きめのメダルが誤投入された場合、その大きめのメダルはメダル降下通路２３の入口２４に、さしかかると、その通過幅方向の通路スペースより僅かに大きいため引っ掛り、一時的にメダル詰り現象を生じ、後続のメダルの投入も不能になる。この詰り現象が生じたときは、この詰りを解消するためにプレーヤ自身が返却ボタン１４を押下操作する。
【００６３】
この場合、プレーヤが返却ボタン１４を押し込んでいくと、この返却ボタンの操作力Ｐを受けて、回動カム３３が回動し始め、このとき第３カムＣ３が略水平にメダル降下通路２３のメダル厚さ方向に突出して、大きめの詰ったメダルを強制排出する。これより降下規制されていたメダルは落下し、その下方に開口した下方開口部３９を通過して外部の返却口１３へと返却される。
【００６４】
次に、不適な厚肉メダルが投入されたときの選別処理動作について説明する。通常、返却ボタン１４が未押下状態で待機している回動カム３３は、図１１(Ａ)に示すように、第１カムＣ１が開閉板２２の内面に押圧可能に対接した状態にあり、第２カムＣ２は手前の未接触状態にある。また、図１２(Ａ)および図１３(Ａ)に示すように、第３カムＣ３はＨ形基板２１のカム貫通口２１ｂ内に没入待機した状態にある。このときのメダル降下通路２３は、適正な厚さスペースを確保して適正なメダルＭのみを通過許容する。
【００６５】
その後、プレーヤによって投入口１２に適用外の厚肉メダルが誤投入された場合、その厚肉メダルはメダル降下通路２３の入口２４に、さしかかると、その通過スペースより厚いため引っ掛り、一時的にメダル詰り現象を生じ、後続のメダルの投入も不能になる。この詰り現象が生じたときは、この詰りを解消するためにプレーヤ自身が返却ボタン１４を押下操作する。
【００６６】
この場合、プレーヤが返却ボタン１４を押し込んでいくと、図１１(Ｂ)に示すように、この返却ボタンの操作力Ｐを受けて、回動カム３３が回動し始める。この回動カム３３は、先ず、第１カムＣ１が開閉板２２を押し、続いて第２カムＣ２が補助開閉板３１を押して開閉板２２および補助開閉板３１を適正な開位置まで移動させて、Ｈ形基板２１と開閉板２２との間を返却に適した間隔に十分に開いて厚肉メダルを落下許容する。
【００６７】
またこのとき、図１２(Ｂ)および図１３(Ｂ)に示すように、第３カムＣ３が略水平にメダル降下通路２３のメダル厚さ方向に突出して、厚肉メダルを強制排出する。これより降下規制されていた厚肉メダルは落下し、その下方に開口した下方開口部３９を通過して外部の返却口１３へと返却される。
【００６８】
次に、返却ボタン１４がチョン押しされた場合について説明する。
今、遊技中にプレーヤが正常な遊技目的、あるいは不正目的によって返却ボタン１４をチョン押し操作した場合は、図１１(Ｃ)に示すように、第１カムＣ１が開閉板２２を僅かに押しただけなので、この押圧初期段階では、図１２(Ｃ)および図１３(Ｃ)に示すように、開閉板２２のみが少し開き、補助開閉板３１は対向バネ３４の付勢力を受けて全閉状態を維持している。このため、返却ボタン１４がチョン押し操作されても、開閉板２２は一時的に開くが補助開閉板３１は閉鎖状態を保持しているため、この補助開閉板３１の先端部に突出する選別規制片３５がメダル降下通路２３の厚肉メダル降下規制位置に存在したままなので厚肉メダルは降下規制される。
【００６９】
このため、厚肉メダルを選別規制片３５で確実に降下規制することができるため、内方への誤取り込みを確実に防止することができる。したがって、厚肉メダルの返却に際しては、プレーヤ自身が返却ボタンをチョン押し操作しても誤取込みしないため、信頼性の高いメダルの受付管理を図ることができる。また、このときは厚肉メダルが返却されないためプレーヤが再度、確実な返却ボタンの押下操作を行なうことになり、このため厚肉メダルは適正に返却処理される。
【００７０】
上述のように、返却ボタンがチョン押し操作されても、開閉板は一時的に開くが補助開閉板は元の位置を維持しているため、この補助開閉板で厚肉メダルを確実に降下規制して、内方への誤取り込みを防止することができる。このため、正常に返却ボタンが操作された場合のみ厚肉メダルを返却することができる。
【００７１】
この発明と、上述の一実施の形態の構成との対応において、
この発明の本体は、実施の形態のＨ形基板２１に対応するも、
この発明は、請求項に示される技術思想に基づいて応用することができ、上述の一実施の形態の構成のみに限定されるものではない。
【００７２】
【発明の効果】
この発明によれば、補助開閉板を組込んで、開閉板と補助開閉板との開操作タイミングを２段階的に行うことにより、返却ボタンのチョン押し操作に伴う大径または厚肉の不適メダルの誤通過を完全に防止できる。このため、プレーヤの返却ボタン操作ミスや返却ボタンの不正操作に拘らず、適正なメダルと、大径または厚肉の不適メダルを的確に区別して選別処理する信頼性の高い投入メダル選別処理機能が得られる。
【図面の簡単な説明】
【図１】パチスロ機を示す外観斜視図。
【図２】パチスロ機の前面扉の内面状態を示す斜視図。
【図３】投入メダル選別装置を分離して示す斜視図。
【図４】投入メダル選別装置を示す展開斜視図。
【図５】回動カムと補助開閉板の配設状態を示す斜視図。
【図６】メダル降下通路を示す縦断面図。
【図７】メダル降下通路を示す正面図。
【図８】メダル降下通路を示す要部底面図。
【図９】受付規制機構の待機状態を示す縦断面図。
【図１０】受付規制機構の受付規制状態を示す縦断面図。
【図１１】回動カムの動作状態を示す説明図。
【図１２】第３カムの動作状態を示す要部横断面図。
【図１３】第３カムの動作状態を示す要部縦断側面図。
【符号の説明】
１１…パチスロ機
２０…投入メダル選別装置
２１…Ｈ形基板
２２…開閉板
２３…メダル降下通路
３１…補助開閉板
Ｍ…メダル
【図１】
2004206485.tif 000003
【図２】
2004206485.tif 000004
【図３】
2004206485.tif 000005
【図４】
2004206485.tif 000006
【図５】
2004206485.tif 000007
【図６】
2004206485.tif 000008
【図７】
2004206485.tif 000009
【図８】
2004206485.tif 000010
【図９】
2004206485.tif 000011
【図１０】
2004206485.tif 000012
【図１１】
2004206485.tif 000013
【図１２】
2004206485.tif 000014
【図１３】
2004206485.tif 000015